(57)【要約】【課題】簡単に折畳めて携行する際に邪魔にならない携帯用バッグを提供する。【解決手段】上部に開放部５０と把手４０が設けられた袋体１０と、上記袋体１０の中央を隔てた左右両側それぞれにおいて、上記袋体１０の底部１１に沿って上記袋体１０に取り付けられた第１芯材２１および第２芯材２２と、上記第１芯材２１側の側端部と第２芯材２２側の側端部においてそれぞれ上記袋体１０に取り付けられ、互いに着脱可能に接合できる第１接合部３１および第２接合部３２とを備えた。これにより、上記第１芯材２１と第２芯材２２を芯にして上記袋体１０を折畳み、上記折畳んだ袋体１０を中央でさらに二つ折りにすることにより、上記第１接合部３１と第２接合部３２を互いに接合できる。このため、簡単に折畳めて携行する際に邪魔にならない。【選択図】図１
0003231769.tif 000002
【実用新案登録請求の範囲】
【請求項１】
上部に開放部と把手が設けられた袋体と、
上記袋体の中央を隔てた左右両側それぞれにおいて、上記袋体の底部に沿って上記袋体に取り付けられた第１芯材および第２芯材と、
上記第１芯材側の側端部と第２芯材側の側端部においてそれぞれ上記袋体に取り付けられ、互いに着脱可能に接合できる第１接合部および第２接合部とを備えた
ことを特徴とする携帯用バッグ。
【請求項２】
上記第１芯材と第２芯材が左右対称となるよう設けられている
請求項１記載の携帯用バッグ。
【請求項３】
上記第１芯材と第２芯材がそれぞれプレート状である
請求項１または２記載の携帯用バッグ。
【請求項４】
上記把手は、上記袋体の内側において上記開放部に沿って設けられた一対の帯状部から構成されている
請求項１〜３のいずれか一項に記載の携帯用バッグ。
【請求項５】
上記第１芯材と第２芯材を芯にして上記袋体を折畳み、上記折畳んだ袋体を中央でさらに二つ折りにすることにより、上記第１接合部と第２接合部を互いに接合できるよう構成されている
請求項１〜４のいずれか一項に記載の携帯用バッグ。
【考案の詳細な説明】
【技術分野】
【０００１】
本考案は、携帯用バッグに関するものである。
【背景技術】
【０００２】
近年、レジ袋が有料化されるに伴い、携帯用バッグの需要が増えている。携帯用バッグには、簡単に折畳めて携行する際に邪魔にならないという機能が求められる。
【０００３】
このような折畳み式のバッグに関し、本出願人は先行技術文献として下記の特許文献１および２を把握している。
【先行技術文献】
【特許文献】
【０００４】
【特許文献１】実公昭５９−２５２３９号公報
【特許文献２】特許第６２８１０３３号公報
【０００５】
上記特許文献１には、つぎの記載がある。
［公報第１頁右欄第３３行目〜第２頁左欄第１７行目］
次に、上記実施例に基いてその使用状態を説明すれば、通常は第１図に示す状態でその装本体１内に諸種の物品を収容すると共に、両サイドポケツト５，５内に小物類を収容するものであるが、収容物がない場合は、先ず第４図に示すように両サイドポケツト５，５を形成している生地３の四周縁に沿って装本体１をサイドポケツトの反対面に折込む。次いで、装本体１の折込み側を内側にして第５図に示すように中間部から折畳んだ後、スライダー６を第６図に示すようにイの点からロの点を経てハの点迄矢印方向に移動してフアスナー２，２を係合することにより、装本体１を携行に便利な約四分の−の扁平な方形状に縮小変形させるものである。また、このように縮小変形されたものは、第７図に示すようにその両側にポケツト５，５を備えているので、該ポケツトに小物類を収容する場合は、スライダー６を第６図のロの点迄引き戻してポケツト５，５を開口させて収容し、係合具７，７で開口部を閉じた後、更にスライダー６をハの点迄移動させることにより、ポケツト５，５の開口部を完全に塞閉して収容した小物類の落火を防止するものである。
【０００６】
上記特許文献２には、つぎの記載がある。
［００１１］
この実施例の折り畳み式バッグは、平面に広げた状態の袋体開口部の両側辺を折り畳み、さらに袋体の底辺を開口部に向かい折り上げ係止することで、取っ手部分はそのままに、袋部分のみ左右下方部分の折り畳んだ分だけ容量が少ない袋体になり、小さなバッグとしても使用できるようになる。縦横ともに小さくなるため、縦横の長さとのバランスがよく、中身を落としやすいという欠点がない。さらにこのバッグは、深さの折り畳み手段、すなわち第二係止手段によって深さのサイズ変更だけでなく、横幅を折り畳んだ部分を交差するように折り畳む。すなわち、横幅を折り畳んだ部分を縦方向にさらに折り畳むので、小さいバッグの状態で中に物を入れた時に、バッグの折り畳まれた底部分の横幅が広がることを抑制し、型崩れしにくい。
【考案の概要】
【考案が解決しようとする課題】
【０００７】
特許文献１は、装本体１を携行用に縮小変形させる際、装本体１をサイドポケツトの反対面に折込み、その折込み側を内側にして中間部から折畳み、スライダー６をぐるりと移動させてフアスナー２，２を係合する必要がある。このように、スライダー６をぐるりと移動させてフアスナー２，２を係合する煩雑な作業が必要である。
【０００８】
特許文献２は、小さなバッグとして使用する際、袋体開口部の両側辺を折り畳み、取っ手部分はそのままに、袋体の底辺を開口部に向かい折り上げて係止する。このように、取っ手部分がそのままであることから、バッグなどに収容して持ち運ぶときに、取っ手部分が邪魔になる。
【０００９】
本考案は、上記事情に鑑み、下記の目的をもってなされたものである。
簡単に折畳めて携行する際に邪魔にならない携帯用バッグを提供する。
【課題を解決するための手段】
【００１０】
請求項１記載の携帯用バッグは、上記目的を達成するため、つぎの構成を採用した。
上部に開放部と把手が設けられた袋体と、
上記袋体の中央を隔てた左右両側それぞれにおいて、上記袋体の底部に沿って上記袋体に取り付けられた第１芯材および第２芯材と、
上記第１芯材側の側端部と第２芯材側の側端部においてそれぞれ上記袋体に取り付けられ、互いに着脱可能に接合できる第１接合部および第２接合部とを備えた。
【００１１】
請求項２記載の携帯用バッグは、請求項１記載の構成に加え、つぎの構成を採用した。
上記第１芯材と第２芯材が左右対称となるよう設けられている。
【００１２】
請求項３記載の携帯用バッグは、請求項１または２記載の構成に加え、つぎの構成を採用した。
上記第１芯材と第２芯材がそれぞれプレート状である。
【００１３】
請求項４記載の携帯用バッグは、請求項１〜３のいずれか一項に記載の構成に加え、つぎの構成を採用した。
上記把手は、上記袋体の内側において上記開放部に沿って設けられた一対の帯状部から構成されている。
【００１４】
請求項５記載の携帯用バッグは、請求項１〜４のいずれか一項に記載の構成に加え、つぎの構成を採用した。
上記第１芯材と第２芯材を芯にして上記袋体を折畳み、上記折畳んだ袋体を中央でさらに二つ折りにすることにより、上記第１接合部と第２接合部を互いに接合できるよう構成されている。
【考案の効果】
【００１５】
請求項１記載の携帯用バッグは、袋体と、第１芯材および第２芯材と、第１接合部および第２接合部とを備えている。上記袋体は、上部に開放部と把手が設けられている。上記第１芯材および第２芯材は、上記袋体の中央を隔てた左右両側それぞれにおいて、上記袋体の底部に沿って上記袋体に取り付けられている。上記第１接合部および第２接合部は、上記第１芯材側の側端部と第２芯材側の側端部においてそれぞれ上記袋体に取り付けられ、互いに着脱可能に接合できるようになっている。
【００１６】
上記の構造により、本発明の携帯用バッグは、上記第１芯材と第２芯材を芯にして上記袋体を折畳み、上記折畳んだ袋体を中央でさらに二つ折りにすることにより、上記第１接合部と第２接合部を互いに接合できる。このため、簡単に折畳めて携行する際に邪魔にならない。
【００１７】
請求項２記載の携帯用バッグは、上記第１芯材と第２芯材が左右対称となるよう設けられている。このため、上記第１芯材と第２芯材を芯にして折畳んだ袋体を、中央で二つ折りにしやすい。したがって、簡単に折畳め、携行する際に邪魔にならない。
【００１８】
請求項３記載の携帯用バッグは、上記第１芯材と第２芯材がそれぞれプレート状である。このため、上記第１芯材と第２芯材を芯にして折畳みやすく、その後に中央で二つ折りにしやすい。したがって、簡単に折畳め、携行する際に邪魔にならない。
【００１９】
請求項４記載の携帯用バッグは、上記把手が、上記袋体の内側において上記開放部に沿って設けられた一対の帯状部から構成されている。このような構造により、上記第１芯材と第２芯材を芯にして袋体を折畳み、その後に中央で二つ折りにするときに、上記帯状部は袋体といっしょに折畳まれ二つ折りにされる。したがって、簡単に折畳め、携行する際に邪魔にならない。
【００２０】
請求項５記載の携帯用バッグは、上記第１芯材と第２芯材を芯にして上記袋体を折畳み、上記折畳んだ袋体を中央でさらに二つ折りにすることにより、上記第１接合部と第２接合部を互いに接合できるよう構成されている。このため、簡単に折畳めて携行する際に邪魔にならない。
【図面の簡単な説明】
【００２１】
【図１】本考案の一実施形態の携帯用バッグを示す斜視図である。
【図２】上記携帯用バッグの正面図である。
【図３】上記携帯用バッグの側面図である。
【図４】上記携帯用バッグの平面図である。
【図５】上記携帯用バッグの底面図である。
【図６】上記携帯用バッグの正面から見た縦断面図である。
【図７】上記携帯用バッグの側面から見た縦断面図である。
【図８】上記携帯用バッグを折畳む状態を説明する正面図である。
【図９】上記携帯用バッグを折畳む状態を説明する背面図である。
【図１０】上記携帯用バッグを折畳む状態を説明する図である。
【図１１】上記携帯用バッグを折畳んだ状態を示す図である。
【考案を実施するための形態】
【００２２】
つぎに、本考案を実施するための形態を説明する。
図１〜図７は、本考案の一実施形態の携帯用バッグを示す図である。図１は斜視図、図２は正面図、図３は側面図、図４は平面図、図５は底面図である。図６は正面から見た縦断面図、図７は側面から見た縦断面図である。
【００２３】
〔基本構造〕
本実施形態の携帯用バッグは、袋体１０と、第１芯材２１および第２芯材２２と、第１接合部３１および第２接合部３２とを備えている。
【００２４】
〔袋体１０〕
上記袋体１０は、四角形の正面部１０Ａと背面部１０Ｂが、左右両側と底部にマチをつくるように、その左右両側辺と底辺が縫合され、上部に開放部５０が設けられる。また、詳しくは後述するが、上記開放部５０に沿った周縁部が折り返されたところに、把手４０が形成されている。
【００２５】
上記正面部１０Ａの底辺に沿った部分と上記背面部１０Ｂの底辺に沿った部分は、上述したマチをつくる縫合によって袋体１０の底部１１を構成する。同様に、上記正面部１０Ａの左右両側辺に沿った部分と上記背面部１０Ｂの左右両側辺に沿った部分は、上述したマチをつくる縫合によって袋体１０の左右の側部１２を構成する。
【００２６】
上記把手４０は、上記袋体１０の内側において上記開放部５０に沿って設けられた一対の帯状部から構成されている。つまり、上記正面部１０Ａと背面部１０Ｂの上記開放部５０に沿った周縁部が折り返され、袋体１０の正面側と背面側の中央の折り返し部に、スリット１３Ａ，１３Ｂが形成されている。上記スリット１３Ａ，１３Ｂによって正面部１０Ａと背面部１０Ｂから分離する帯状部が、上記把手４０として機能する。
【００２７】
〔第１芯材２１および第２芯材２２〕
上記第１芯材２１および第２芯材２２は、上記袋体１０の中央を隔てた左右両側それぞれにおいて、上記袋体１０の底部１１に沿って上記袋体１０に取り付けられている。図示した例では、上記第１芯材２１と第２芯材２２は、それぞれ長方形のプレート状である。また、図示した例では、上記第１芯材２１と第２芯材２２が、左右対称となるよう設けられている。
【００２８】
上記第１芯材２１と第２芯材２２は、上記正面部１０Ａの底辺に沿った底部１１を構成する部分に取り付けられている。具体的には、正面部１０Ａの底部１１を構成する部分に第１芯材２１と第２芯材２２を並べて配置し、カバー布１４で覆った状態で周囲を縫合することにより取り付けられている。
【００２９】
〔第１接合部３１および第２接合部３２〕
上記第１接合部３１および第２接合部３２は、上記第１芯材２１側の側端部と第２芯材２２側の側端部においてそれぞれ上記袋体１０に取り付けられ、互いに着脱可能に接合できるようになっている。この例では、上記第１接合部３１と第２接合部３２は、ホックが取り付けられた舌片である。上記第１接合部３１と第２接合部３２は、着脱可能に接合できるものであれば、面テープなどを利用したものでもよい。
【００３０】
〔折り畳み構造〕
図８〜図１１は、上記携帯用バッグを折畳む状態を説明する図である。図８は正面図、図９は背面図である。図１０は上記携帯用バッグを折畳む状態を説明する図、図１１は折畳んだ状態を示す図である。
【００３１】
上記携帯用バッグは、上記第１芯材２１と第２芯材２２を芯にして上記袋体１０を折畳み、上記折畳んだ袋体１０を中央でさらに二つ折りにすることにより、上記第１接合部３１と第２接合部３２を互いに接合できるよう構成されている。
【００３２】
まず、上記袋体１０は、上記正面部１０Ａと背面部１０Ｂを重ねるよう広げる。このとき、マチがなくなって開放部５０が閉じて平らになる（図８および図９参照）。この状態で、上記第１芯材２１と第２芯材２２を芯にして上記袋体１０を折畳む。このとき、図８における矢印Ａ−Ａ、矢印Ｂ−Ｂ、矢印Ｃ−Ｃ、矢印Ｄ−Ｄ、を順次山折りにする。つまり、図９における矢印ａ−ａ、矢印ｂ−ｂ、矢印ｃ−ｃ、矢印ｄ−ｄ、を順次谷折りにする。このようにして、上記第１芯材２１と第２芯材２２を芯にして上記袋体１０を巻き取るように折畳むと、図１０の状態になる。
【００３３】
つぎに、図１０おける矢印Ｅ−Ｅにおいて二つ折りにすると、上記第１接合部３１と第２接合部３２が重なって、それらを互いに接合することができる（図１１参照）。
【００３４】
携帯用バッグを使用するときは、上述した操作を反対に行う。つまり、図１１の状態から上記第１接合部３１と第２接合部３２の接合を解除し、二つ折りを戻して図１０の状態にする。ついで、上記第１芯材２１と第２芯材２２を芯に巻き取るように折畳んであった袋体１０を広げる（図８および図９参照）。ついで、正面部１０Ａと背面部１０Ｂのマチを広げて開放部５０を形成する（図１参照）。
【００３５】
〔実施形態の効果〕
本実施形態の携帯用バッグは、袋体１０と、第１芯材２１および第２芯材２２と、第１接合部３１および第２接合部３２とを備えている。上記袋体１０は、上部に開放部５０と把手４０が設けられている。上記第１芯材２１および第２芯材２２は、上記袋体１０の中央を隔てた左右両側それぞれにおいて、上記袋体１０の底部１１に沿って上記袋体１０に取り付けられている。上記第１接合部３１および第２接合部３２は、上記第１芯材２１側の側端部と第２芯材２２側の側端部においてそれぞれ上記袋体１０に取り付けられ、互いに着脱可能に接合できるようになっている。
【００３６】
上記の構造により、本実施形態の携帯用バッグは、上記第１芯材２１と第２芯材２２を芯にして上記袋体１０を折畳み、上記折畳んだ袋体１０を中央でさらに二つ折りにすることにより、上記第１接合部３１と第２接合部３２を互いに接合できる。このため、簡単に折畳めて携行する際に邪魔にならない。
【００３７】
本実施形態の携帯用バッグは、上記第１芯材２１と第２芯材２２が左右対称となるよう設けられている。このため、上記第１芯材２１と第２芯材２２を芯にして折畳んだ袋体１０を、中央で二つ折りにしやすい。したがって、簡単に折畳め、携行する際に邪魔にならない。
【００３８】
本実施形態の携帯用バッグは、上記第１芯材２１と第２芯材２２がそれぞれプレート状である。このため、上記第１芯材２１と第２芯材２２を芯にして折畳みやすく、その後に中央で二つ折りにしやすい。したがって、簡単に折畳め、携行する際に邪魔にならない。
【００３９】
本実施形態の携帯用バッグは、上記把手４０が、上記袋体１０の内側において上記開放部５０に沿って設けられた一対の帯状部から構成されている。このような構造により、上記第１芯材２１と第２芯材２２を芯にして袋体１０を折畳み、その後に中央で二つ折りにするときに、上記帯状部は袋体１０といっしょに折畳まれ二つ折りにされる。したがって、簡単に折畳め、携行する際に邪魔にならない。
【００４０】
本実施形態の携帯用バッグは、上記第１芯材２１と第２芯材２２を芯にして上記袋体１０を折畳み、上記折畳んだ袋体１０を中央でさらに二つ折りにすることにより、上記第１接合部３１と第２接合部３２を互いに接合できるよう構成されている。このため、簡単に折畳めて携行する際に邪魔にならない。
【００４１】
〔変形例〕
以上は本考案の特に好ましい実施形態について説明したが、本考案は図示した実施形態に限定する趣旨ではなく、各種の態様に変形して実施することができ、本考案は各種の変形例を包含する趣旨である。
【符号の説明】
【００４２】
１０：袋体
１０Ａ：正面部
１０Ｂ：背面部
１１：底部
１２：側部
１３Ａ：スリット
１３Ｂ：スリット
１４：カバー布
２１：第１芯材
２２：第２芯材
３１：第１接合部
３２：第２接合部
４０：把手
５０：開放部
【図１】
0003231769.tif 000003
【図２】
0003231769.tif 000004
【図３】
0003231769.tif 000005
【図４】
0003231769.tif 000006
【図５】
0003231769.tif 000007
【図６】
0003231769.tif 000008
【図７】
0003231769.tif 000009
【図８】
0003231769.tif 000010
【図９】
0003231769.tif 000011
【図１０】
0003231769.tif 000012
【図１１】
0003231769.tif 000013